(57)【要約】【課題】厚みのある複写禁止原稿が原稿読取装置にセットされても、セットされた当該原稿の取り出しを物理的に阻止することができる画像形成装置を提供すること。【解決手段】ソレノイドの軸１３２ａが図面に対して左方向に移動すると、それに伴い係合片１３１の先端１３１ｃは、バネ１３３の引っ張り弾性力に抗して、係合片支持軸１３１ｂを中心に図面上で右方向（矢印Ｔ）に回転し、係合部１２２のノッチ部１２２ａと係合する。このようにして、原稿カバー部１１の支持軸１２１と一体化した係合部１２２のノッチ部１２２ａに係合片１３１の先端１３１ｃが係合することにより、支持軸１２１の回動が鎖錠されるため、原稿カバー部１１の開放が不可能になり、原稿載置台１０上の原稿を取り出すことができなくなる。【選択図】図２
2008278180.tif 000002
【特許請求の範囲】
【請求項１】
原稿載置台に原稿を載置し、回動可能に軸支された原稿カバー部を閉じて前記原稿を覆い、少なくとも当該原稿を読み取る画像形成装置であって、
読み取られた原稿の判定部を有し、当該原稿が複写禁止原稿であると判定されたとき、前記原稿カバー部の軸支部の回動を鎖錠し前記原稿の取り出しを防ぐことを特徴とする画像形成装置。
【請求項２】
前記原稿カバー部の開閉と連動して回動する係合部と当該係合部に係合する係合片を駆動する固定駆動手段とを有し、当該固定駆動手段の作動により前記係合片が前記係合部に係合することを特徴とする請求項１に記載の画像形成装置。
【請求項３】
前記固定駆動手段が、ソレノイド又はモータであることを特徴とする請求項２に記載の画像形成装置。
【請求項４】
前記判定部により前記原稿が複写禁止原稿であると判定した場合に、その旨を報知することを特徴とする請求項１〜３のいずれかに記載の画像形成装置。
【請求項５】
前記鎖錠は、パスワード入力等の所定の操作により解除されることを特徴とする請求項１〜４のいずれかに記載の画像形成装置。
【請求項６】
前記原稿カバー部の回動鎖錠状態において原稿が取出されたときに警報することを特徴とする請求項１〜４のいずれかに記載の画像形成装置。
【発明の詳細な説明】
【技術分野】
【０００１】
本発明は、画像形成装置、特に、複写禁止原稿の取り出しを物理的に阻止することが可能な画像形成装置に関する。
【背景技術】
【０００２】
紙幣、有価証券等に代表される複写禁止原稿のコピー（印刷）を防止する機能を有する画像形成装置が提案されている。
また、前記複写禁止原稿を画像形成装置の原稿読取装置（スキャナ）にセットしてコピーしようとした場合、当該原稿のコピーを防止するだけではなく、セットされた複写禁止原稿の取り出しをも物理的に阻止することができる画像形成装置が特許文献１に開示されている。
【特許文献１】特開２００５−２０３３４号公報
【発明の開示】
【発明が解決しようとする課題】
【０００３】
特許文献１に開示の画像形成装置では、当該画像形成装置の原稿カバー部（原稿マット）に設けられた、当該原稿カバー部を原稿読取装置の原稿載置部に固定するためのロック用爪部が、当該原稿載置部に設けられた係止部に係合することによって、前記原稿カバー部を前記原稿載置部に固定（ロック）する。
【０００４】
それゆえ、前記画像形成装置では、複写禁止原稿が厚さ数ミリ程度の紙面の場合には、原稿読取装置にセットされた当該原稿の取り出しを物理的に阻止することができる。
しかし、複写禁止原稿が、例えば、書籍のような厚みのある原稿の場合には、前記ロック用爪部が、前記原稿載置部に設けられた係止部に係合することができなくなる。
その結果、前記原稿カバー部を前記原稿載置部に固定できず、前記厚みのある原稿の取り出しを物理的に阻止することができない。
【０００５】
本発明は、かかる実情に鑑みてなされたものであり、厚みのある複写禁止原稿が原稿読取装置にセットされても、セットされた当該原稿の取り出しを物理的に阻止することができる画像形成装置を提供することを目的とする。
【課題を解決するための手段】
【０００６】
第１の技術手段は、原稿載置台に原稿を載置し、回動可能に軸支された原稿カバー部を閉じて前記原稿を覆い、少なくとも当該原稿を読み取る画像形成装置であって、読み取られた原稿の判定部を有し、当該原稿が複写禁止原稿であると判定されたとき、前記原稿カバー部の軸支部の回動を鎖錠し前記原稿の取り出しを防ぐことを特徴とする画像形成装置である。
【０００７】
第２の技術手段は、第１の技術手段において、前記原稿カバー部の開閉と連動して回動する係合部と当該係合部に係合する係合片を駆動する固定駆動手段とを有し、当該固定駆動手段の作動により前記係合片が前記係合部に係合することを特徴とするものである。
【０００８】
第３の技術手段は、第２の技術手段において、前記固定駆動手段が、ソレノイド又はモータであることを特徴とするものである。
【０００９】
第４の技術手段は、第１〜第３のいずれかの技術手段において、前記判定部により前記原稿が複写禁止原稿であると判定した場合に、その旨を報知することを特徴とするものである。
【００１０】
第５の技術手段は、第１〜第４のいずれかの技術手段において、前記鎖錠は、パスワード入力等の所定の操作により解除されることを特徴とするものである。
【００１１】
第６の技術手段は、第１〜第４のいずれかの技術手段において、前記原稿カバー部の回動鎖錠状態において原稿が取出されたときに警報することを特徴とするものである。
【発明の効果】
【００１２】
本発明により、厚みのある複写禁止原稿が原稿読取装置にセットされても、セットされた当該原稿の取り出しを物理的に阻止することができる。
【発明を実施するための最良の形態】
【００１３】
図１は、本発明に係る画像形成装置の概要を説明するための全体断面図である。
１は、画像形成装置であり、画像形成装置１は、所定の記録用紙に対して単色及び多色の画像を形成する。
【００１４】
１０は、画像形成装置１の上部に設けられた原稿載置台である。原稿載置台１０は、ガラス等透光性の部材から構成され、原稿の読取面を押圧する。
１１は、原稿載置台１０を覆うための原稿カバー部である。原稿カバー部１１は、矢印Ｍ方向に回動自在に構成され、原稿カバー部１１を開放することにより原稿を手置きで原稿載置台１０に置くことができる。
【００１５】
原稿カバー部１１には、原稿載置台１０上に自動で原稿を搬送するための自動原稿搬送装置１２が設けられている。
【００１６】
２０は、画像形成装置１の下部に設けられた露光ユニットである。露光ユニット２０は、レーザビームを走査するポリゴンミラー（図示しない）、及び、ポリゴンミラーによって反射されたレーザ光を感光体ドラム２１に導くためのレンズやミラー等の光学要素（図示しない）から構成されている。
露光ユニット２０が出射したレーザ光により、帯電された感光体ドラム２１上に、原稿画像データに応じた静電潜像が形成される。
なお、露光ユニット２０は、この他の発光素子をアレイ状に並べた、例えば、ＥＬやＬＥＤ書込みヘッドからも構成することができる。
【００１７】
２２は、感光体ドラム２１の近傍に設けられた帯電器である。帯電器２２は、感光体ドラム２１の表面を所定の電位に均一に帯電させるための帯電手段であり、図１に示すようなチャージャ型の他、接触型のローラ型やブラシ型の帯電器を用いることもできる。
【００１８】
２３は、感光体ドラム２１の近傍に設けられた現像器である。現像器２３は、各感光体ドラム２１上に形成された静電潜像を４色（ＹＭＣＫ）のトナー（図示しない）により顕像化するものである。
【００１９】
２４は、感光体ドラム２１の近傍に設けられたクリーナユニットである。クリーナユニット２４は、現像及び画像転写後における感光体ドラム２１の表面に残留したトナーを除去、回収する。
【００２０】
なお、画像形成装置１において扱われる原稿画像データは、ブラック（Ｋ）、シアン（Ｃ）、マゼンタ（Ｍ）、イエロー（Ｙ）の各色を用いたカラー画像に応じたものである。従って、感光体ドラム２１、帯電器２２、現像器２３、クリーナユニット２４は、各色に応じた４種類の潜像を形成するように、それぞれ４個ずつ設けられている。
【００２１】
２５は、感光体ドラム２１の上方に配置されている中間転写ベルトユニットである。
中間転写ベルトユニット２５は、中間転写ベルト２５ａ、中間転写ベルト駆動ローラ２５ｂ、中間転写ベルト従動ローラ２５ｃ、中間転写ローラ２５ｄ、及び、中間転写ベルトクリーニングユニット２５ｅから構成される。
【００２２】
中間転写ベルト２５ａは、感光体ドラム２１に接触するように設けられ、中間転写ベルト駆動ローラ２５ｂ、中間転写ベルト従動ローラ２５ｃ、及び、中間転写ローラ２５ｄにより張架されて回転駆動される。
また、中間転写ベルト２５ａ上に、感光体ドラム２１に形成された各色のトナー像が順次的に重ねて転写されることによって、カラーのトナー像（多色トナー像）が形成される。
なお、中間転写ベルト２５ａは、例えば、厚さ１００μｍ〜１５０μｍ程度のフィルムを用いて無端状に形成されている。
【００２３】
中間転写ベルト駆動ローラ２５ｂは、中間転写ベルト２５ａを駆動するためのローラである。
【００２４】
中間転写ベルト従動ローラ２５ｃは、中間転写ベルト２５ａを、後述の中間転写ベルトクリーニングユニット２５ｅのクリーニングブレード（図示しない）に接触させるため、中間転写ベルト２５ａを裏側から支持するためのローラである。
【００２５】
中間転写ローラ２５ｄは、中間転写ベルト２５ａの裏側に接触するように配設され、直径８〜１０ｍｍの金属（例えばステンレス）軸をベースとし、その表面が導電性の弾性材（例えばＥＰＤＭ，発泡ウレタン等）により覆われているローラである。この導電性の弾性材により、中間転写ベルト２５ａに対して均一に高電圧を印加することができる。
なお、図１では、転写電極としてローラ形状を使用しているが、それ以外にブラシ等も用いることもできる。
【００２６】
中間転写ローラ２５ｄには、高電圧の転写バイアス（トナーの帯電極性（−）とは逆極性（＋）の高電圧）が印加されており、印加された転写バイアスにより、感光体ドラム２１のトナー像が中間転写ベルト２５ａに転写される。
なお、中間転写ローラ２５ｄは、ＹＭＣＫ用の各色に対応して４本設けられている。
【００２７】
また、感光体ドラム２１に接触することにより中間転写ベルト２５ａに付着したトナー、又は、後述の転写ローラ２６によって記録用紙上に転写が行われず中間転写ベルト２５ａ上に残存したトナーは、次工程でトナーの混色を発生させる原因となるため、中間転写ベルトクリーニングユニット２５ｅにより、除去、回収される。なお、中間転写ベルトクリーニングユニット２５ｅには、クリーニング部材としてのクリーニングブレードが備えられている。
【００２８】
前述したように、各感光体ドラム２１上で各色相に応じて顕像化された静電像は、中間転写ベルト２５ａで積層される。
このようにして積層された画像情報は、中間転写ベルト２５ａ、及び、後述する記録用紙と中間転写ベルト２５ａの接触位置に配置される転写ローラ２６によって記録用紙上に転写される。
【００２９】
このとき、中間転写ベルト２５ａ及び転写ローラ２６は、所定ニップで圧接されると共に、転写ローラ２６にはトナーを記録用紙に転写させるための電圧が印加される（トナーの帯電極性（−）とは逆極性（＋）の高電圧）。
なお、前記ニップを定常的に得るために、転写ローラ２６は、中間転写ベルト駆動ローラ２５ｂが硬質材料（金属等）の場合には弾性ローラ等の軟質材料（弾性ゴムローラ、または発泡性樹脂ローラ等々）から構成され、逆に、中間転写ベルト駆動ローラ２５ｂが前記軟質材料の場合には前記硬質材料から構成される。
【００３０】
２７ａは、露光ユニット２０の下側に設けられた給紙カセットである。給紙カセット２７ａは、記録用紙を蓄積しておくためのトレイである。なお、画像形成装置１の外側に設けられた手差し給紙カセット２７ｂにも記録用紙を置くことができる。
【００３１】
２８は、画像形成装置１の上部に設けられた排紙トレイである。排紙トレイ２８は、印刷済みの記録用紙をフェイスダウンで集積するためのトレイである。
【００３２】
また、画像形成装置１には、符号Ｓ（２点鎖線）で示すように、給紙カセット２７ａ及び手差し給紙カセット２７ｂから供給される記録用紙を転写ローラ２６や定着ユニット３３を経由させて排紙トレイ２８に送るための略垂直形状の用紙搬送路が設けられている。
【００３３】
用紙搬送路Ｓの近傍には、転写ローラ２６、ピックアップローラ３０ａ，３０ｂ、複数の搬送ローラ３１ａ〜３１ｄ、レジストローラ３２、定着ユニット３３等が配設されている。
【００３４】
ピックアップローラ３０ａは、給紙カセット２７ａの端部近傍に備えられ、給紙カセット２７ａから記録用紙を１枚ずつピックアップして用紙搬送路Ｓに供給する。
同様に、ピックアップローラ３０ｂは、手差し給紙カセット２７ｂの端部近傍に備えられ、手差し給紙カセット２７ｂから記録用紙を１枚ずつピックアップして用紙搬送路Ｓに供給する。
【００３５】
搬送ローラ３１ａ〜３１ｄは、記録用紙の搬送を促進、補助するための小型のローラであり、用紙搬送路Ｓに沿って複数設けられている。
【００３６】
レジストローラ３２は、用紙搬送路Ｓを搬送されている記録用紙を一旦保持し、中間転写ベルト２５ａ上に積層されたトナー像の先端と記録用紙の先端を合わせるタイミングで、記録用紙を転写ローラ２６に搬送する機能を有している。
【００３７】
定着ユニット３３は、記録用紙を挟んで回転するように配設されたヒートローラ３３ａ、加圧ローラ３３ｂ、及び、ヒートローラ３３ａを外部から加熱するための外部加熱ベルト３３ｃ等から構成される。
【００３８】
ヒートローラ３３ａは、加圧ローラ３３ｂとともにトナーを記録用紙に熱圧着することにより、記録用紙に転写された多色トナー像を溶融、混合、圧接し、記録用紙に対して熱定着させる機能を有している。なお、熱圧着するために必要な熱は、外部加熱ベルト３３ｃを介して供給される。
また、加熱する温度は、図示しない温度検知器からの信号に基づいて制御部によって所定の定着温度となるように設定される。
【００３９】
次に、用紙搬送経路Ｓについて詳細に説明する。
前述のように、画像形成装置１には予め記録用紙を収納する給紙カセット２７ａ及び手差し給紙カセット２７ｂが設けられ、当該給紙カセット２７ａ，２７ｂから給紙された記録用紙を、１枚ずつ用紙搬送経路Ｓに導くために、ピックアップローラ３０ａ，３０ｂが配設されている。
【００４０】
前記給紙カセット２７ａ，２７ｂから搬送される記録用紙は、用紙搬送経路Ｓの搬送ローラ３１ａによってレジストローラ３２まで搬送され、記録用紙の先端と中間転写ベルト２５ａ上の画像情報の先端を合わせるタイミングで転写ローラ２６に搬送され、記録用紙上に画像情報が書き込まれる。
【００４１】
その後、記録用紙は、定着ユニット３３を通過することによって記録用紙上の未定着トナーが熱で溶融、固着され、その後に、搬送ローラ３１ｂを経て排紙トレイ２８上に排出される。
【００４２】
なお、前記記録用紙の搬送処理の説明は、片面印字実行時のものであるが、両面印字実行時には、片面印字が終了し、定着ユニット３３を通過した記録用紙の後端が最終の搬送ローラ３１ｂで把持されたときに、搬送ローラ３１ｂが逆回転することによって記録用紙が、搬送ローラ３１ｃ，３１ｄに導かれる。その後、レジストローラ３２を経て記録用紙裏面に印字が行われた後に記録用紙が排紙トレイ２８に排出される。
【００４３】
次に、図２を用いて、原稿載置台１０に載置された複写禁止原稿の取り出しを物理的に阻止することができる機構について説明する。
【００４４】
原稿カバー部１１は、原稿を原稿載置台１０に押圧するための背面板１１１、当該押圧を検知する押圧検知部１１３を備えており、支持軸１２１で画像形成装置１に回動可能に軸支されている。
【００４５】
背面板１１１は、原稿を原稿載置台１０に押圧する部材であり、白色の樹脂で形成されている。
また、背面板１１１は、スプリング、スポンジ等から構成される弾性部材１１２により原稿カバー部１１に対して移動可能に支持される。
【００４６】
押圧検知部１１３は、原稿を原稿載置台１０に押圧する背面板１１１の背面に設けられ、原稿が押圧されたことを検知する。
利用者が、原稿カバー部１１（背面板１１１）で、原稿載置台１０上の原稿を押圧すると、背面板１１１は、原稿に押圧されて上方向に移動し、押圧検知部１１３に備えられた検知片１１３ａが背面板１１１により押圧される。
そのため、押圧検知部１１３は、前記原稿が利用者によって押されたことを検知できる。
【００４７】
支持軸１２１は、原稿カバー部１１を画像形成装置１に対し回動可能に軸支するものであり、軸受け（図示しない）により、画像形成装置１に支持されている。
また、支持軸１２１には、ギア状の係合歯により形成されたノッチ部１２２ａを多数有する係合部１２２が支持軸１２１と同軸に一体化して固定されており、原稿カバー部１１の回動（開閉）に連動して共に回動する。
【００４８】
原稿カバー部１１を固定するための固定手段は、Ｌ字状に形成された係合片１３１、当該係合片１３１に係合可能なノッチ部１２２ａを有する係合部１２２、当該係合部のノッチ部１２２ａと係合するように係合片１３１を駆動する固定駆動手段、例えばソレノイド１３２から構成される。
係合片１３１は、当該係合片１３１の中心部１３１ａに形成された貫通穴を通る係合片支持軸１３１ｂにより回動可能に画像形成装置１に支持される。
係合片１３１の先端１３１ｃは、係合部のノッチ部１２２ａと係合可能に形成されている。
係合片１３１の末端１３１ｄには、ソレノイド（固定駆動手段）の軸１３２ａ及び弾性体（バネ等）１３３の末端１３３ａが取り付けられている。なお、バネ１３３の他の末端１３３ｂは画像形成装置１に取り付けられている。
【００４９】
ソレノイド１３２は、利用者が複写禁止原稿をコピーしようとした場合に、後述する制御部の制御をうけ、ソレノイドの軸１３２ａを図面に対して左方向（矢印Ｌ）に移動（作動）させる（ソレノイド１３２がオン）。
前記制御部の制御（ソレノイド１３２をオン）により、ソレノイドの軸１３２ａが図面に対して左方向に移動すると、それに伴い係合片の先端１３１ｃは、バネ１３３の引っ張り弾性力に抗して、係合片支持軸１３１ｂを中心に図面上で右方向（矢印Ｔ）に回転し、係合部のノッチ部１２２ａと係合する。
【００５０】
このようにして、原稿カバー部１１の支持軸１２１と一体化した係合部１２２のノッチ部１２２ａに係合片１３１の先端１３１ｃが係合することにより、支持軸１２１（原稿カバー部１１の軸支部）の回動が鎖錠（原稿カバー部１１のロック）されるため、原稿カバー部１１の開放が不可能になり、原稿載置台１０上の原稿を取り出すことができなくなる。
【００５１】
また、後述するように、ロック状態解除用パスワードが入力される等して、ソレノイド１３２がオフになると、バネ１３３の引っ張り弾性力により、ソレノイドの軸１３２ａに固定された係合片の末端１３１ｄが図面に対して右方向（矢印Ｒ）に移動する。当該移動に伴って、係合片の先端１３１ｃが、係合部のノッチ部１２２ａから離間するように移動するので、原稿カバー部１１の開放が可能になる（原稿カバー部１１のロックが解除）。
【００５２】
図３（Ａ）は、ユーザが書籍等の厚みのある複写禁止原稿１４１ａを原稿載置台１０に載置し、原稿１４１ａをコピーしようとした場合、原稿１４１ａが複写禁止原稿であることを検知した画像形成装置１が、原稿１４１ａの取り出しを阻止するため原稿カバー部１１を回動鎖錠状態（ロック状態）にしている様子を示す断面図である。
【００５３】
図３（Ａ）からも明らかなように、原稿カバー部１１の支持軸１２１と一体化した係合部１２２が、係合片１３１により固定されるため、原稿カバー部１１の開放が不可能になり、原稿載置台１０上の原稿１４１ａを取り出すことができなくなる。
【００５４】
なお、図３（Ｂ）に示したように、ユーザが薄厚紙面の複写禁止原稿１４１ｂをコピーしようとした場合であっても、同様に、原稿カバー部１１の開放が不可能になり、原稿載置台１０上の原稿１４１ｂを取り出すことができなくなる。
【００５５】
図４は、前述した原稿カバー部１１を回動鎖錠状態（ロック状態）にすることを可能とした画像形成装置１のブロック図である。
５１は、画像形成装置１を操作するための操作パネルである。操作パネル５１は、液晶表示パネル等から構成される表示部５１ａ及びテンキー等から構成される入力部５１ｂ等から構成される。
【００５６】
５２は、原稿載置台１０上の原稿を読み取り、原稿画像データを生成する原稿読取部である。
【００５７】
５３は、原稿読取部５２が生成した原稿画像データに対して、濃度変換、色変換等の画像処理を施し印字出力に適した印刷データを生成する画像処理部である。
【００５８】
５４は、画像処理部５３が生成した印刷データを記録用紙に印字する印字部である。
【００５９】
５５は、半導体メモリ、ＨＤＤ（Ｈａｒｄ  Ｄｉｓｋ  Ｄｒｉｖｅ）等から構成され、原稿読取部５２が生成した原稿画像データ、画像処理部５３が生成した印刷データ等を記憶する画像記憶部である。
【００６０】
５６は、画像形成装置１とＬＡＮ等を介して接続されたＰＣ等の情報処理装置、他の画像形成装置と接続するためのインターフェイスを提供する通信部である。
【００６１】
押圧検知部１１３は、前述したように、原稿載置台１０上の原稿が利用者によって押されたことを検知し、検知結果を制御部６３に出力する。なお、原稿が押されていない場合には、制御部６３は、原稿を押すように利用者に指示する。
【００６２】
ソレノイド１３２は、複写禁止原稿判定部６１がコピーする原稿が複写禁止原稿であると判定すると、前述したように、制御部６３の制御をうけ、図２に示したソレノイドの軸１３２ａを図面（図２）に対して左方向（矢印Ｌ）に移動させ（ソレノイド１３２のオン）、原稿カバー部１１をロック状態にする。
【００６３】
なお、操作パネル５１を介して、正しいロック状態解除用パスワードが入力されると、ロック状態が解除される。
【００６４】
複写禁止原稿判定部６１は、コピー原稿が、紙幣、有価証券等の複写が禁止されている複写禁止原稿か否かを、パターンマッチング等の手法により判定する。そして、コピー原稿が複写禁止原稿の場合には、判定結果を報知部６２及び制御部６３に出力する。
【００６５】
報知部６２は、複写禁止原稿判定部６１が、コピー原稿が複写禁止原稿であると判定した場合に、複写禁止原稿がコピーされそうになったことを、通信部５５を介して画像形成装置１の管理者等に報知する（第１の報知処理）。
【００６６】
また、原稿カバー部１１が回動鎖錠状態（ロック状態）にあるのにもかかわらず、利用者が原稿カバー部１１をこじ開けてコピー原稿を無理やり取り出したときは、警報、例えば、警備会社等にその旨を報知する（第２の報知処理）。
なお、第２の報知処理として、画像形成装置１に備えられた警報器（アラーム装置）を鳴らしてもよい。
【００６７】
制御部６３は、前述したように、複写禁止原稿判定部６１が、コピー原稿が複写禁止原稿であると判定した場合に、ソレノイド１３２をオンにして原稿カバー部１１をロック状態にする。
【００６８】
また、制御部６３は、原稿カバー部１１をロック状態にした後、利用者が無理に原稿カバー部１１をこじ開けてコピー原稿を取り出したかを監視する。そして、利用者が無理にコピー原稿を取り出したことを検知すると、その旨を報知部６２に通知する。
【００６９】
利用者がコピー原稿を無理やり取り出したことは様々な方法により検知できる。
例えば、原稿カバー部１１に移動感知センサを設け、当該移動感知センサの動作状態を監視し、原稿カバー部１１がロック状態にあるのにもかかわらず、当該移動感知センサが作動した場合には、利用者がコピー原稿を無理やり取り出したとみなせばよい。
また、所定間隔で原稿を読み取り、読み取った原稿データがブランク（真白、真黒）の場合には、利用者がコピー原稿を無理やり取り出したとみなせばよい。
【００７０】
なお、制御部６３は、ユーザ又は管理者が、操作パネル５１を介して、ロック状態解除用パスワードを入力し、入力したパスワードが正しい場合には、ソレノイド１３２をオフにして、原稿カバー部１１のロック状態を解除する。
【００７１】
図５は、前述した原稿カバー部１１をロック状態にする処理を説明するためのフロー図である。
利用者が画像形成装置１の原稿載置台１０に原稿を載置して、原稿カバー部１１を閉じ、コピーボタンを押すと（ステップＳ１）、原稿読取部５２が前記原稿を読み取り、原稿画像データを生成する（ステップＳ２）。
【００７２】
次に、複写禁止原稿判定部６１は、前記原稿が複写禁止原稿か否かを判定する（ステップＳ３）。
【００７３】
複写禁止原稿でない場合には（ステップＳ３／ＮＯ）、読み取った原稿をコピーする（ステップＳ４）。
【００７４】
複写禁止原稿の場合には（ステップＳ３／ＹＥＳ）、制御部６３はソレノイド１３２をオンにして原稿カバー部１１を回動鎖錠状態（ロック状態）にする（ステップＳ５）。
同時に、報知部６２が前記第１の報知処理を実行する（ステップＳ６）。
【００７５】
次に、利用者が原稿カバー部１１をこじ開けてコピー原稿を無理やり取り出したかを監視する状態に移行し、利用者がコピー原稿を無理やり取り出した否かを判定する（ステップＳ７）。
【００７６】
利用者がコピー原稿を無理やり取り出した場合には（ステップＳ７／ＹＥＳ）、報知部６２が前記第２の報知処理を実行する（ステップＳ８）。
【００７７】
コピー原稿が取り出されない場合には（ステップＳ７／ＮＯ）、制御部６３が、原稿カバー部１１のロック状態を解除するためのパスワードを入力する画面を操作パネル５１の表示部５１ａに表示し、利用者又は管理者が解除用パスワードを入力する（ステップＳ９）。
【００７８】
入力された解除用パスワードが正しい場合には（ステップＳ１０／ＹＥＳ）、制御部６３は、ソレノイド１３２をＯＦＦにして原稿カバー部１１のロック状態を解除する（ステップＳ１１）。
【００７９】
入力された解除用パスワードが正しくない場合には（ステップＳ１０／ＮＯ）、ステップＳ７以下の処理を実行する。
【００８０】
なお、前述の画像形成装置１では、係合部１２２と係合するように係合片１３１を駆動する固定駆動手段をソレノイド１３２から構成したが、図６で示すように、他の固定駆動手段、例えば、モータから構成することもできる。
【００８１】
詳細に説明すると、図６に示したように、ソレノイド１３２をモータ１３５に置き換え、モータ１３５の駆動軸にワイヤ巻取り部１３５ａを設ける。そして、ワイヤ１３６の末端１３６ａをワイヤ巻取り部１３５ａに固定し、ワイヤ１３６の他の末端１３６ｂを係合片１３１の末端１３１ｄに固定する。
【００８２】
そして、前述のように、複写禁止原稿を検知した場合、制御部６３は、モータ１３５をオンにして、モータの駆動軸を矢印Ｎ方向に駆動し、当該駆動軸のワイヤ巻取り部１３５ａを同方向に回転させ、係合片１３１が係合部１２２に係合するまで、ワイヤ１３６を巻き取る（係合片１３１の末端１３１ｄが矢印Ｌ方向に移動）。その結果、係合片１３１の先端１３１ｃが係合部１２２に係合し、原稿カバー部１１がロックされる。
【００８３】
また、ロック状態解除用パスワードが入力されると、制御部６３は、係合片１３１の先端１３１ｃが係合部１２２から離間するまで、モータ駆動軸のワイヤ巻取り部１３５ａを矢印Ｎ方向とは逆方向に駆動させることで、係合片の末端１３１ｄをバネ１３３の引っ張り弾性力により矢印Ｒ方向に移動させ、原稿カバー部１１のロックを解除する。
【図面の簡単な説明】
【００８４】
【図１】本発明に係る画像形成装置の概要を説明するための全体断面図である。
【図２】複写禁止原稿の取り出しを物理的に阻止することができる機構について説明する図である。
【図３】各種複写禁止原稿を原稿載置台に載置した様子を示す図である。
【図４】本発明に係る画像形成装置のブロック図である。
【図５】原稿カバー部をロック状態にする処理を説明するためのフロー図である。
【図６】複写禁止原稿の取り出しを物理的に阻止することができる他の機構について説明する図である。
【符号の説明】
【００８５】
１…画像形成装置、１０…原稿載置台、１１…原稿カバー部、１２…自動原稿搬送装置、２０…露光ユニット、２１…感光体ドラム、２２…帯電器、２３…現像器、２４…クリーナユニット、２５…中間転写ベルトユニット、２５ａ…中間転写ベルト、２５ｂ…中間転写ベルト駆動ローラ、２５ｃ…中間転写ベルト従動ローラ、２５ｄ…中間転写ローラ、２５ｅ…中間転写ベルトクリーニングユニット、２６…転写ローラ、２７ａ，２７ｂ…給紙カセット、２８…排紙トレイ、３０ａ，３０ｂ…ピックアップローラ、３１ａ〜３１ｄ…搬送ローラ、３２…レジストローラ、３３…定着ユニット、３３ａ…ヒートローラ、３３ｂ…加圧ローラ、３３ｃ…外部加熱ベルト、５１…操作パネル、５１ａ…表示部、５１ｂ…入力部、５２…原稿読取部、５３…画像処理部、５４…印字部、５５…画像記憶部、５５…通信部、６１…複写禁止原稿判定部、６２…報知部、６３…制御部、１１１…背面板、１１２…弾性部材、１１３…押圧検知部、１１３ａ…検知片、１２１…支持軸、１２２…係合部、１２２ａ…係合部のノッチ部、１３１…係合片、１３１ａ…係合片の中心部、１３１ｂ…係合片支持軸、１３１ｃ…係合片の先端、１３１ｄ…係合片の末端、１３２…ソレノイド、１３２ａ…ソレノイドの軸、１３３…バネ、１３３ａ，１３３ｂ…バネの末端、１３５…モータ、１３５ａ…ワイヤ巻取り部、１３６…ワイヤ、１３６ａ，１３６ｂ…ワイヤの末端、１４１ａ，１４１ｂ…複写禁止原稿。
【図１】
2008278180.tif 000003
【図２】
2008278180.tif 000004
【図３】
2008278180.tif 000005
【図４】
2008278180.tif 000006
【図５】
2008278180.tif 000007
【図６】
2008278180.tif 000008